(57)【特許請求の範囲】
【請求項１】
情報処理の処理内容を検出する検出手段と、情報処理の処理内容を利用者に対して音を発して通知する発音手段と、前記発音手段から発するための複数の音の情報を記録する記録手段と、前記検出手段によって検出された情報処理の処理内容に応じて前記記録手段に記録されている複数の音の情報を読み出し、この音の情報を前記発音手段に出力して発音させる制御手段と、通信により情報を他の装置に送信又は他の装置から受信する通信手段と、前記通信手段が他の通信装置と通信を実施している際の通信速度を検出する通信速度検出手段と、前記通信速度検出手段が検出した通信速度に基づいて前記発音手段が利用者に対して通知する音の音量を選択する音量選択手段と、を備え、前記音量選択手段は、前記通信手段が情報を他の通信装置と転送中でない場合は音量を零にし、前記通信手段が通信ハンドシェイク時の通信待ちである場合は小音量にし、前記通信手段が実施している通信処理がヘッダーの送受信である場合は大音量にし、前記通信手段が実施している通信処理がデータ本体の送受信である場合は中音量にすることを特徴とする情報処理装置。
【請求項２】
情報処理の処理内容を検出する検出手段と、情報処理の処理内容を利用者に対して音を発して通知する発音手段と、前記発音手段から発するための複数の音の情報を記録する記録手段と、前記検出手段によって検出された情報処理の処理内容に応じて前記記録手段に記録されている複数の音の情報を読み出し、この音の情報を前記発音手段に出力して発音させる制御手段と、通信により情報を他の装置に送信又は他の装置から受信する通信手段と、前記通信手段が他の通信装置と通信を実施している際の通信速度を検出する通信速度検出手段と、前記通信速度検出手段が検出した通信速度に基づいて前記発音手段が利用者に対して通知する音の音程を選択する音程選択手段と、を備え、前記音程選択手段は、前記通信手段が送受信している画像の駒が１駒目の場合は中音程にし、前記通信手段が送受信している画像の駒が最終駒目又は最終駒の１つ前の駒目の場合は高音程にし、前記通信手段が送受信している画像の駒が１駒目でも最終駒目でも最終駒の１つ前の駒目でもない場合は低音程にすることを特徴とする情報処理装置。
【請求項３】
情報処理の処理内容を検出し、前記検出された情報処理の処理内容に応じて記録手段に記録されている複数の音の情報を読み出し、この音の情報を発音手段に出力して音を発し、情報処理の処理内容を利用者に対して通知し、他の通信装置と通信を実施している際の通信速度を検出し、前記検出した通信速度に基づいて前記発音手段が利用者に対して通知する音の音量を選択し、情報を他の通信装置と転送中でない場合は音量を零にし、通信ハンドシェイク時の通信待ちである場合は小音量にし、実施している通信処理がヘッダーの送受信である場合は大音量にし、実施している通信処理がデータ本体の送受信である場合は中音量にすることを特徴とする情報処理状況通知方法。
【請求項４】
情報処理の処理内容を検出し、前記検出された情報処理の処理内容に応じて記録手段に記録されている複数の音の情報を読み出し、この音の情報を発音手段に出力して音を発し、情報処理の処理内容を利用者に対して通知し、他の通信装置と通信を実施している際の通信速度を検出し、前記検出した通信速度に基づいて前記発音手段が利用者に対して通知する音の音程を選択し、送受信している画像の駒数が１駒目の場合は中音程にし、送受信している画像の駒数が最終駒目又は最終駒の１つ前の駒目の場合は高音程にし、送受信している画像の駒数が１駒目でも最終駒目でも最終駒の１つ前の駒目でもない場合は低音程にすることを特徴とする情報処理状況通知方法。
【発明の詳細な説明】
【０００１】
【発明の属する技術分野】
本発明は、情報処理装置及び情報処理状況通知方法に係り、特に情報の送受信に際して通信状況を音で利用者に通知することが可能な情報処理装置及び情報処理状況通知方法に関する。
【０００２】
【従来の技術】
従来、通信回線により接続された通知先通信装置に対して、情報処理装置の稼働状況を人間の聴覚により認識可能な音声にて通知する、音声による情報処理装置の稼働状況通知方法が特開平６−４２６３号の広報に示されている。
【０００３】
また、報知装置により通知を行う機能を有する画像形成装置において、ユーザの希望するジョブの状態を通知することが可能な画像形成装置が特開平１１−１１９６００号の広報に示されている。
【０００４】
また、画像形成装置の動作を制御する画像形成装置の制御装置において、操作画面上で現在の動作状態を音声によりガイドする画像形成装置の制御装置が特開平１１−１１９９６１号の広報に示されている。
【０００５】
【発明が解決しようとする課題】
しかしながら、特開平６−４２６３号の広報に示されている音声による情報処理装置の稼働状況通知方法は、大がかりな通知情報管理手段を必要とし、通信装置に対して音声情報を送信するため、適用システムが大規模になってしまうという不具合を生じていた。
【０００６】
また、特開平１１−１１９６００号の広報に示されている画像形成装置では、対象のジョブの状態が通知を行うべき状態になった場合にのみ通知されるので、処理中の状況は確認できないとともに、各ジョブ終了時の通知は操作者が設定する必要があった。
【０００７】
また、特開平１１−１１９９６１号の広報に示されている画像形成装置の制御方法では、音声は動作指令のガイドを行うことに用いられており、例えば「ファックス送信しています」のようにアナウンスされる。したがって、操作画面や動作を表す画像形成装置の外観画像及びメッセージを表示する表示手段と連動して音声ガイドが実行される機能しかなく、また、適用システムが複雑となっている。
【０００８】
本発明は、このような事情に鑑みてなされたもので、簡便な装置を用いて情報処理装置が実施している通信又は情報処理の進捗状況又は処理内容を音で利用者に通知し、利用者はこの音を聞くことによって進捗状況又は処理内容を認識可能な情報処理装置及び情報処理状況通知方法を提供することを目的としている。
【０００９】
【課題を解決するための手段】
本発明は前記目的を達成するために、通信又は情報処理の進捗状況を検出する検出手段と、情報処理の進捗状況を利用者に対して音を発して通知する発音手段と、前記発音手段から発するための複数の音の情報を記録する記録手段と、前記検出手段によって検出された情報処理の進捗状況に応じて前記記録手段に記録されている複数の音の情報を読み出し、この音の情報を前記発音手段に出力して発音させる制御手段とを備えたことを特徴としている。
【００１０】
本発明によれば、通信又は情報処理の進捗状況を検出する検出手段と、情報処理の進捗状況を利用者に対して音を発して通知する発音手段と、前記発音手段から発するための複数の音の情報を記録する記録手段と、前記検出手段によって検出された情報処理の進捗状況に応じて前記記録手段に記録されている複数の音の情報を読み出し、この音の情報を前記発音手段に出力して発音させる制御手段とを備えたので、利用者は聴覚によって通信又は情報処理の進捗状況を認識可能となる。
【００１１】
また、前記目的を達成するために請求項２に記載の発明は、通信又は情報処理の処理内容を検出する検出手段と、情報処理の処理内容を利用者に対して音を発して通知する発音手段と、前記発音手段から発するための複数の音の情報を記録する記録手段と、前記検出手段によって検出された情報処理の処理内容に応じて前記記録手段に記録されている複数の音の情報を読み出し、この音の情報を前記発音手段に出力して発音させる制御手段とを備えたことを特徴としている。
【００１２】
本発明によれば、通信又は情報処理の処理内容を検出する検出手段と、情報処理の処理内容を利用者に対して音を発して通知する発音手段と、前記発音手段から発するための複数の音の情報を記録する記録手段と、前記検出手段によって検出された情報処理の処理内容に応じて前記記録手段に記録されている複数の音の情報を読み出し、この音の情報を前記発音手段に出力して発音させる制御手段とを備えたので、利用者は聴覚によって通信又は情報処理の処理内容を認識可能となる。
【００１３】
【発明の実施の形態】
以下添付図面に従って、本発明に係る情報処理装置及び情報処理状況通知方法の好ましい実施の形態について詳説する。
【００１４】
図１に、本発明に係る情報処理装置の基本構成を示す。
【００１５】
同図によれば通信装置１０（情報処理装置）は、他の通信装置１２と情報の送受信を行う通信手段１４と、前記通信手段１４に通信の内容及び通信の実施を指令する情報処理手段１６（制御手段）と、情報処理手段１６の通信の処理状況、及び通信状況等の情報通信の進捗状況を検出する検出手段１８と、前記情報処理及び通信の進捗状況、処理内容、通信内容を利用者に対して複数の音を発して通知する発音手段２０と、検出手段１８又は情報処理手段１６からの発音指令情報を発音手段２０が発音する信号に変換する発音変換器２２と、発音手段２０から発する複数の音の情報を記録するＲＯＭやＲＡＭから構成されている記録手段２４とを備えている。
【００１６】
また、情報処理手段１６は、記録手段２４に記録されている複数の音の情報を読み出すとともに、検出した進捗状況及び処理内容に応じた複数の音を生成し、前記発音手段２０に対して発音することを指示する処理を行う。なお、前記送受信する情報は、記録手段２４に記録されている情報であってもよいし、図示しない着脱可能な記録媒体に記録されている情報であってもよい。
【００１７】
図２は、前記通信装置１０に撮像手段を備えた実施の形態を示す図である。
【００１８】
同図によれば通信装置１０Ａ（情報処理装置）の撮像部は、フォーカス、絞り等の調節が可能な撮影レンズと、映像を電気信号に変換する固体撮像素子（ＣＣＤ）とを備えている撮像手段２６と、撮像手段２６によって得られた撮像信号をアナログ処理部とＡ／Ｄ変換部とを経由してデジタルのＲ、Ｇ、Ｂ信号に変換するとともに用途に応じてＭＰＥＧやＪＰＥＧ方式の圧縮処理を行う信号処理手段２８と、前記信号処理手段２８から出力される画像データを記録媒体３０に記録する処理を行う、書き込み手段３２とから構成されている。なお、記録媒体３０は、メモリーカードやＭＯに代表される着脱可能な記録媒体であってもよい。
【００１９】
また、通信装置１０Ａの再生表示部は、記録媒体３０に記録されている画像データを読み出す読み出し手段３４と、前記読み出し手段３４が読み出した画像データを必要に応じて解凍伸長する再生手段３６と、前記解凍伸長した画像データを一時記憶するフレームメモリ３８と、前記フレームメモリ３８に記憶されている画像データを読み出すとともに表示用又は出力用のビデオ信号に変換するビデオ回路４０と、ビデオ信号を他の通信装置に出力するポートであるビデオ端子４２と、前記ビデオ信号に基づいた画像又は情報を表示する表示手段４４とから構成されている。
【００２０】
また、通信装置１０Ａの通信部は、前記フレームメモリ３８に記憶されている画像データを読み出して他の通信装置に送信するデータに変換する通信手段１４Ａと、前記通信手段１４Ａから出力されるデータを他の通信装置に対して送信するポートとなる通信端子４６とが備えられている。また、通信部には、通信手段１４Ａが他の通信装置と通信を実施している際の通信速度を検出する通信速度検出手段４８、５０と、前記通信速度検出手段４８が検出した通信速度に基づいて発音手段２０Ａが利用者に対して通知する音の音量を選択する音量選択手段５２と、前記通信速度検出手段５０が検出した通信速度に基づいて発音手段２０Ａが利用者に対して通知する音の音程を選択する音程選択手段５４とから構成されている。
【００２１】
また、通信手段１４Ａに対して送信する画像データの送信を指令するとともに、入力手段５６からの入力信号に基づいた通信装置１０Ａの処理を、バス５８を介して通信装置１０Ａ内部の他の周辺機器に指令する情報処理手段１６Ａ（制御手段）とから構成されている。情報処理手段１６Ａは、バス５８を介して信号処理手段２８に撮像のタイミング信号を変更する指令を出力して、フレームレートや画素数を自在に設定することが可能である。また、信号処理手段２８ではその他にも、画像サイズの変更、シャープネス補正、ガンマ補正、コントラスト補正、ホワイトバランス補正等の処理を行うことが可能である。
【００２２】
情報処理手段１６Ａの内部には、図示しない読み書き可能な記録手段であるＲＡＭと、情報処理手段１６Ａの動作を司るプログラムや定数、発音手段２０Ａから発する複数の音の情報等を記録しておくＲＯＭとが設けられている。
【００２３】
また、情報処理手段１６Ａは他の通信装置に対して情報の送信を行う際に、記録媒体から送信する情報の読み出し処理、書き込み処理、情報の変換処理、情報の送信処理、情報送信又は情報送信終了後の終了処理及び通信状況のうちの少なくとも１つの進捗情報を検出することも可能となっている。そして、前記検出した進捗情報に基づいた複数の音の情報を前記記録手段から読み出すとともに、前記音量選択手段５２や音程選択手段５４に対して発音手段２０Ａから出力する音の制御指令を出力する。
【００２４】
通信装置１０Ａの入力手段５６には図示しないシャッターボタンや、ファンクションスイッチ、カーソルキー、確定スイッチ、画像再生ボタン、画像再生終了ボタン等が設けられており、各操作情報は情報処理手段１６Ａに送られる。
【００２５】
上記のとおり構成された通信装置１０Ａの撮影処理について説明する。
【００２６】
撮影する像は、撮影レンズ及び絞りを介して撮像手段２６の固体撮像素子（ＣＣＤ）の受光面に結像される。そしてこの被写体像はＣＣＤ内の各センサで光の入射光量に応じた量の電荷信号に光電変換される。図示しない撮像タイミング制御回路からタイミング信号が出力され、これによってＣＣＤに蓄積された電荷信号は順次出力されて、信号処理手段２８にて画像データのＲ、Ｇ、Ｂ信号の増幅やノイズの低減処理とデジタルデータに変換する処理が行われる。
【００２７】
前記デジタルデータに変換された画像データは、フレームメモリ３８に一時的に格納される。フレームメモリ３８に格納された画像データは必要に応じて抽出され、逐次ビデオ回路４０に伝達されて表示手段４４に表示されている。
【００２８】
入力手段５６に設けられているシャッターボタンを押すと、被写体を撮影するモードに入る。すると情報処理手段１６Ａは、信号処理手段２８に対して画像データを記録媒体３０に記録する指令を出力する。すると信号処理手段２８は画像データを書き込み手段３２に出力し、所定の圧縮フォーマットに圧縮された画像データは記録媒体３０に記録される。
【００２９】
記録媒体３０に記録されている画像データを再生するには、通信装置１０Ａの処理モードを「再生」のモードに設定する。すると、読み出し手段３４は記録媒体３０からデータを読み出し、読み出された画像データは再生手段３６にて必要に応じて伸張され、ビデオ回路４０で表示可能な信号及び外部に出力可能な信号形態に変換される。変換された信号は表示手段４４に伝達されて画像が表示される。また、映像信号をビデオ端子４２を介して外部の装置に出力してもよい。
【００３０】
図３に、通信装置１０及び１０Ａが他の通信装置に情報の送信を実施する際に発する音の発音処理の流れを示す。
【００３１】
情報処理手段１６、１６Ａの処理ループの一部分に発音処理へジャンプする命令が記載されており、該ジャンプ命令が実行されるとプログラムはＳ１００「始め」（以降Ｓ１００のように省略して記載する）にジャンプしてくる。すると処理プログラムはＳ１０２「転送中？」に進む。
【００３２】
Ｓ１０２では通信手段１４、１４Ａが情報を他の通信装置と転送中（送信中又は受信中）であるか否かの判断を行っている。もし、通信手段１４、１４Ａが情報を転送中でない場合には、Ｓ１０４「消音」に分岐する。そしてＳ１０４では、発音変換器２２及び音量選択手段５２に対して音の発生を中止する指令又は発音量を零にする指令を選択して出力するので、発音手段２０、２０Ａから音は発せられなくなる。
【００３３】
Ｓ１０４にて音の消音が実施されると、プログラムはＳ１０６「終わり」に進み、本発音処理のルーチンを終了して元の処理ルーチンに戻る。
【００３４】
また、Ｓ１０２にて通信手段１４、１４Ａが情報を転送中であると判断した場合には、プログラムはＳ１０８「通信待ち？」の判断へ進む。Ｓ１０８では、通信手段１４、１４Ａが実施している通信処理が、通信待ちであるか否かの判断を行っている。もし、通信手段１４、１４Ａが実施している処理が通信ハンドシェイク時の通信待ちの状態である場合、又は通信相手の通信装置から通信の一時休止を指示されている場合には、プログラムはＳ１１０「音量を小さく設定」に分岐する。
【００３５】
そしてＳ１１０では、発音変換器２２及び音量選択手段５２に対して発音量を小さくする指令を出力するので、発音手段２０、２０Ａからは小さい音が発せられる。この時発生する音は、単音の繰り返しであってもよいし、通信待ち状態であることを利用者に通知するのに適した和音、音色、リズム、メロディーであってもよい。Ｓ１１０で発音を指定する処理が終了するとプログラムはＳ１０２に戻る。
【００３６】
また、Ｓ１０８にて通信手段１４、１４Ａが通信待ち状態でないと判断した場合には、プログラムはＳ１１２「ヘッダー送受信？」の判断へ進む。Ｓ１１２では、通信手段１４、１４Ａが実施している通信処理が、ヘッダーの送受信中であるか否かの判断を行っている。もし、通信手段１４、１４Ａが実施している処理がヘッダーの送受信状態である場合には、プログラムはＳ１１４「音量を大きく設定」に分岐する。そしてＳ１１４では、発音変換器２２及び音量選択手段５２に対して発音量を大きくする指令を出力するので、発音手段２０、２０Ａからは大きな音が発せられる。この時発生する音は単音の繰り返しであってもよいし、ヘッダー送受信中であることを利用者に通知するのに適した和音、音色、リズム、メロディーであってもよい。Ｓ１１４で発音の処理が終了するとプログラムはＳ１０２に戻る。
【００３７】
また、Ｓ１１２にて通信手段１４、１４Ａがヘッダーの送受信中でないと判断した場合には、プログラムはＳ１１６「データ本体送受信？」の判断へ進む。Ｓ１１６では、通信手段１４、１４Ａが実施している通信処理が、データ本体の送受信であるか否かの判断を行っている。もし、通信手段１４、１４Ａが実施している処理がデータ本体の送受信状態である場合には、プログラムはＳ１１８「音量を中程度に設定」に分岐する。
【００３８】
そしてＳ１１８では、発音変換器２２及び音量選択手段５２に対して発音量を中程度にする指令を出力するので、発音手段２０、２０Ａからは中程度の音量の音が発せられる。この時発生する音は単音の繰り返しであってもよいし、データ本体送受信中であることを利用者に通知するのに適した和音、音色、リズム、メロディーであってもよい。Ｓ１１８で発音の処理が終了するとプログラムはＳ１０２に戻る。
【００３９】
また、Ｓ１１６にて通信手段１４、１４Ａがデータ本体の送受信中でないと判断した場合には、プログラムはＳ１０２の判断へ戻る。
【００４０】
図４に、通信装置１０及び１０Ａが他の通信装置に情報の送信を実施する際に発する音の発音処理の流れの他の実施の形態を示す。
【００４１】
情報処理手段１６、１６Ａの処理ループの一部分に発音処理へジャンプする命令が記載されており、該ジャンプ命令が実行されるとプログラムはＳ２００「始め」にジャンプしてくる。すると処理プログラムはＳ２０２「転送駒数の取得」に進む。
【００４２】
Ｓ２０２では、利用者が入力手段５６を介して設定した転送画像の駒数を取得し、情報処理手段１６、１６Ａは該駒数を記録手段２４等に一時記録する。そして次のＳ２０４「転送中？」の判断に進む。
【００４３】
Ｓ２０４では、通信手段１４、１４Ａが情報を他の通信装置と転送中であるか否かの判断を行っている。もし、通信手段１４、１４Ａが情報の転送中でない場合には、Ｓ２０６「消音」に分岐する。そしてＳ２０６では、発音変換器２２及び音量選択手段５２に対して音の発生を中止する指令又は発音量を零にする指令を選択して出力するので、発音手段２０、２０Ａから音は発せられなくなる。
【００４４】
Ｓ２０６にて音の消音が実施されると、プログラムはＳ２０８「終わり」に進み、本発音処理のルーチンを終了して元の処理ルーチンに戻る。
【００４５】
また、Ｓ２０４にて通信手段１４、１４Ａが情報を転送中であると判断した場合には、プログラムはＳ２１０「１駒目送受信？」の判断へ進む。Ｓ２１０では、通信手段１４、１４Ａが実施している処理が、１駒目の情報を送信又は受信中であるか否かの判断を行っている。もし、通信手段１４、１４Ａが実施している処理が１駒目の情報の送信又は受信である場合には、プログラムはＳ２１２「中程度の音程に設定」に分岐する。そしてＳ２１２では、発音変換器２２及び音程選択手段５４に対して発する音の音程を中程度（例えば５００Ｈｚ程度の音程）にする指令を出力するので、発音手段２０、２０Ａからは中程度の音程の音が発せられる。この時発生する音は単音の繰り返しであってもよいし、１駒目の画像を転送中であることを利用者に通知するのに適した和音、音色、リズム、メロディーであってもよい。なお、音量は利用者の要望に応じて可変としてもよい。Ｓ２１２で音を発するの処理が終了するとプログラムはＳ２０４に戻る。
【００４６】
また、Ｓ２１０にて通信手段１４、１４Ａが１駒目の情報の送受信中でないと判断した場合には、プログラムはＳ２１４「最終駒目送受信？」の判断へ進む。Ｓ２１４では、通信手段１４、１４Ａが実施している処理が、最終駒目の送信又は受信であるか否かの判断を行っている。もし、通信手段１４、１４Ａが実施している処理が最終駒目の送受信である場合には、プログラムはＳ２１６「高音程に設定」に分岐する。そしてＳ２１６では、発音変換器２２及び音程選択手段５４に対して発する音の音程を高く設定する指令を出力するので、発音手段２０、２０Ａからは例えば１ｋＨｚ程度の高音程の音が発せられる。この時発生する音は単音の繰り返しであってもよいし、最終駒又は最終の１駒前の画像情報の送受信であることを利用者に通知するのに適した和音、音色、リズム、メロディーであってもよい。Ｓ２１６で発音の処理が終了するとプログラムはＳ２０４に戻る。
【００４７】
また、Ｓ２１４にて通信手段１４、１４Ａが最終駒目送受信中でないと判断した場合には、プログラムはＳ２１８「最終の１駒目前送受信？」の判断へ進む。Ｓ２１８では、通信手段１４、１４Ａが実施している処理が、最終の１駒目前送受信であるか否かの判断を行っている。もし、通信手段１４、１４Ａが実施している処理が最終の１駒目送受信である場合には、プログラムはＳ２１６に分岐する。そしてＳ２１６では高音程の音が発せられ、発音の処理が終了するとプログラムはＳ２０４に戻る。
【００４８】
また、Ｓ２１８にて通信手段１４、１４Ａの通信処理が最終の１駒目送受信中でないと判断した場合には、プログラムはＳ２２０「低音程に設定」に進む。そしてＳ２２０では、発音変換器２２及び音程選択手段５４に対して発する音の音程を低い音程に設定する指令を出力するので、発音手段２０、２０Ａからは低い音（例えば２５０Ｈｚ程度の音）が発せられる。この時発生する音は単音の繰り返しであってもよいし、最終の１駒目前送受信中でないことを利用者に通知するのに適した和音、音色、リズム、メロディーであってもよい。Ｓ２２０で音を発する処理が終了するとプログラムはＳ２０４に戻る。
【００４９】
上記のように通信装置１０、１０Ａは、通信に関する処理内容や通信の進捗状況に応じた音量、音程、和音、リズム、メロディーを発して利用者に通知することによって、利用者は他の作業をしながらでも通信の状況を知ることが可能となる。従って、通信の終了が間近であることや、通信の転送速度が低下していることや、通信の何処でエラーが発生しているか等を知ることが可能となり、次の対応を素早く実施することが可能となる。
【００５０】
利用者に対して通知する音の実施の形態について以下に説明する。
【００５１】
通信処理の初期段階では間隔の長い音、又はテンポの遅いメロディーを発音し、処理が進むにつれて間隔を短く、又はテンポを速めるようにしてもよい。また、初期の段階では低い音程の音を発音し、処理が進むにつれて音程を上げるようにしてもよい。
【００５２】
また、バッチ処理の終了近くになったときから音を発し始め、利用者に次の処理の準備を促すようにしてもよい。また、通信装置においては、通信実行速度又は通信レートに応じて音程や音色を変化させ（例えば元のメロディーに対して５度上げたり下げたりする転調など）、情報処理手段の負担状況を利用者に通知するようにしてもよい。
【００５３】
また、通信待ちの時には処理が滞っていることを示すために小音量の音を発し、通信を確立するためのヘッダーを送受信中は大音量の音を発し、データの送受信中は、中音量の音を発するようにしてもよい。
【００５４】
また、通信路の通信状況が良好で、高い転送速度で送受信を実施している場合には高音、早いリズム（Ａｎｄａｎｔｅ，Ａｌｌｅｇｒｏ，Ｖｉｖａｃｅ等の指示）又は響和音を発し、通信エラーが発生したりして転送速度が低下している場合には低音の音や遅いリズム（ｒｉｔ．の指示）、ビブラートや不響和音を発するようにしてもよい。
【００５５】
また、通奏低音のメロディーの長さを全体の通信データ量として設定し、共に発生している主題のメロディーの長さを通信済のデータ量とし、全通信データ量に対する転送済のデータ量を利用者の聴覚で識別可能に表現してもよい。
【００５６】
また、図５に示すように、１駒目を送信中と２駒目を送信中とで音を発する回数を変化させるようにしてもよいし、更に、通信している他の通信装置の種類に応じて音色を変えたり、転送している情報の圧縮率や解像度に応じて音色を変化させるようにしてもよい。また、発する音の種類を利用者が変更可能なようにプログラマブルにしておいてもよい。
【００５７】
なお、上記の説明では、通信装置１０Ａは撮像手段２６を備えた電子カメラに適用した実施の形態で説明したが、本発明はこれに限定されるものではなく、同様な撮像手段を備えて画像を取り込むスキャナーであってもよいし、受信した画像を印刷する印刷手段を備えたプリンターであってもよいし、また、受信した画像を記録する記録媒体を備えた画像ファイリング装置であっても本発明の目的を達成することが可能である。
【００５８】
図６に、通信装置が実施している通信処理状況と、その時に発音手段が発する音の種類の実施例を示す。
【００５９】
同図に示すように、通信装置１０Ａが送信する情報を記録媒体３０から読み込む処理を実施している場合には、発音手段２０Ａは「音１」の種類の音を発する。また、通信装置１０Ａが、送信する情報をＪＩＦ形式の画像データからＪＰＥＧ形式の画像データに変換する等の変換処理を実施している場合には、発音手段２０Ａは「音２」の種類の音を発する。以下同様にして、画像データの転送（送信又は受信）を実施している場合には「音３」の種類の音を発し、画像データの転送が終了した後の終了処理を実施している場合には、「音４」の種類の音を発する。
【００６０】
このようにして、通信装置１０Ａが実施しているそれぞれの処理に応じて異なった種類の音を発するので、利用者は通信装置１０Ａの実行している処理及び処理の進捗状況を表示手段４４を見なくても把握することが可能となる。
【００６１】
また、通信の進捗状況や情報処理手段１６、１６Ａが実施している処理内容に応じた音を発音手段が発するとともに、表示手段４４に処理状況の詳細を表示して利用者に通信状況の詳細を通知するようにしてもよい。
【００６２】
【発明の効果】
以上説明したように本発明に係る情報処理装置によれば、通信又は情報処理の進捗状況を検出する検出手段と、情報処理の進捗状況を利用者に対して音を発して通知する発音手段と、前記発音手段から発するための複数の音の情報を記録する記録手段と、前記検出手段によって検出された情報処理の進捗状況に応じて前記記録手段に記録されている複数の音の情報を読み出し、この音の情報を前記発音手段に出力して発音させる制御手段とを備えたので、利用者は聴覚によって通信又は情報処理の進捗状況を認識可能となる。
【００６３】
また、他の発明の形態によれば、通信又は情報処理の処理内容を検出する検出手段と、情報処理の処理内容を利用者に対して音を発して通知する発音手段と、前記発音手段から発するための複数の音の情報を記録する記録手段と、前記検出手段によって検出された情報処理の処理内容に応じて前記記録手段に記録されている複数の音の情報を読み出し、この音の情報を前記発音手段に出力して発音させる制御手段とを備えたので、利用者は聴覚によって通信又は情報処理の処理内容を認識可能となる。
【図面の簡単な説明】
【図１】本発明に係る情報処理装置の基本構成を示す図
【図２】本発明に係る情報処理装置に撮像手段を備えた実施の形態を示す図
【図３】通信装置が他の通信装置に情報の送信を実施する際に発する音の発音処理の流れ図
【図４】通信装置が他の通信装置に情報の送信を実施する際に発する音の発音処理の流れ図
【図５】１駒目送信中に発する音と２駒目に発する音との実施例を示す図
【図６】通信装置が実施している通信処理の状況と発する音の種類とを示す図
【符号の説明】
１０…通信装置、１２…他の通信装置、１４、１４Ａ…通信手段、１６、１６Ａ…情報処理手段、１８…検出手段、２０、２０Ａ…発音手段、２２…発音変換器、２４…記録手段、２６…撮像手段、２８…信号処理手段、３０…記録媒体、３２…書き込み手段、３４…読み出し手段、３６…再生手段、４４…表示手段、４６…通信端子、４８…通信速度検出手段、５０…通信速度検出手段、５２…音量選択手段、５４…音程選択手段、５６…入力手段、５８…バス
【図１】
0004168436.tif 000002
【図２】
0004168436.tif 000003
【図３】
0004168436.tif 000004
【図４】
0004168436.tif 000005
【図５】
0004168436.tif 000006
【図６】
0004168436.tif 000007